(57)【要約】【課題】走査線又はデータ線上の静電気をＥＳＤリング上まで有効に流し、基板上にある電子部品が破壊されることを防ぐ。【解決手段】アクティブマトリクス装置は、基板１００と、基板１００上に配置された走査線１０１と、基板１００上に配置され、走査線１０１と縦横で交錯しているデータ線１０５と、走査線１０１及びデータ線１０５と接続された画素ユニット１１１と、基板１００上に配置されて静電気を減らし、走査線１０１及びデータ線１０５の周囲に配置された少なくとも１つのＥＳＤリング１０９と、正極が走査線１０１と接続され、負極がＥＳＤリング１０９と接続された第１のダイオード１１３及び第４のダイオード１１９と、正極がＥＳＤリング１０９と接続され、負極が走査線１０１と接続された第２のダイオード１１５及び第３のダイオード１１７と、を備える。【選択図】図１
2008242405.tif 000002
【特許請求の範囲】
【請求項１】
基板と、
前記基板上に配置された走査線と、
前記基板上に配置され、前記走査線と縦横で交錯しているデータ線と、
前記走査線及び前記データ線と接続された画素ユニットと、
前記基板上に配置されて静電気を減らし、前記走査線及び前記データ線の周囲に配置された少なくとも１つのＥＳＤリングと、
正極が前記走査線と接続され、負極が前記ＥＳＤリングと接続された第１のダイオード及び第４のダイオードと、
正極が前記ＥＳＤリングと接続され、負極が前記走査線と接続された第２のダイオード及び第３のダイオードと、を備えることを特徴とするアクティブマトリクス装置。
【請求項２】
正極が前記データ線と接続され、負極が前記ＥＳＤリングと接続された第５のダイオード及び第８のダイオードと、
正極が前記ＥＳＤリングと接続され、負極が前記データ線と接続された第６のダイオード及び第７のダイオードと、をさらに備えることを特徴とする請求項１に記載のアクティブマトリクス装置。
【請求項３】
前記基板はガラス基板であることを特徴とする請求項１に記載のアクティブマトリクス装置。
【請求項４】
前記基板はプラスチック基板であることを特徴とする請求項１に記載のアクティブマトリクス装置。
【請求項５】
基板と、
前記基板上に配置された走査線と、
前記基板上に配置され、前記走査線と交錯しているデータ線と、
前記基板上に配置され、ゲートが前記走査線と接続され、第１のソース／ドレイン電極が前記データ線と接続された少なくとも１つの薄膜トランジスタと、
前記基板上に配置されて静電気を減らし、前記走査線及び前記データ線の周囲に配置された少なくとも１つのＥＳＤリングと、
正極が前記走査線と接続され、負極が前記ＥＳＤリングと接続された第１のダイオード及び第４のダイオードと、
正極が前記ＥＳＤリングと接続され、負極が前記走査線と接続された第２のダイオード及び第３のダイオードと、を備えることを特徴とする平面表示装置。
【請求項６】
正極が前記データ線と接続され、負極が前記ＥＳＤリングと接続された第５のダイオード及び第８のダイオードと、
正極が前記ＥＳＤリングと接続され、負極が前記データ線と接続された第６のダイオード及び第７のダイオードと、をさらに備えることを特徴とする請求項５に記載の平面表示装置。
【請求項７】
前記基板はガラス基板であることを特徴とする請求項５に記載の平面表示装置。
【請求項８】
前記基板はプラスチック基板であることを特徴とする請求項５に記載の平面表示装置。
【発明の詳細な説明】
【技術分野】
【０００１】
本発明は、アクティブマトリクス装置に関し、特に、静電気保護機能を有するアクティブマトリクス装置に関する。
【背景技術】
【０００２】
一般に、環境や人体上に存在する静電気は、数千ボルトに達することがある。そしてアクティブマトリクス装置（例えば、液晶表示装置、有機発光ダイオード表示装置、電子ペーパー表示装置）の製造工程において、操作員の体が帯びている数千ボルトの静電気がアクティブマトリクス装置の中に流入し、薄膜トランジスタ及び内部の回路が破壊されることがあった。
【０００３】
従来のアクティブマトリクス装置は、電子部品が静電気により損壊されないように、基板上にＥＳＤ（Ｅｌｅｃｔｒｏｓｔａｔｉｃ  Ｄｉｓｃｈａｒｇｅ）リングが配置され、２つのダイオードを介してデータ線及び走査線と接続されている。走査線、データ線又は基板上に静電気が発生すると、上述の２つのダイオードを介してＥＳＤリングまで流れる。そしてＥＳＤリングにより静電気が消去されるため、画素ユニットの中にある電子部品が静電気により破壊されることを防ぐことができる。
【０００４】
しかし、従来のアクティブマトリクス装置は、発光ダイオードが１つでも破壊されると、正極又は負極の静電気がＥＳＤリングまで流れるため、静電気エネルギーを減らすことはできなかった。この外、静電気の電圧が高すぎる場合、２つのダイオードだけではデータ線及び走査線上の静電気を迅速かつ有効にＥＳＤリング上まで流すことができなかった。そのため、基板上の電子部品は、依然としてデータ線、走査線及び基板上に残存している静電気エネルギーにより破壊されることがあった。
【０００５】
そのため、データ線及び走査線上の静電気をＥＳＤリングまで有効に流し、基板上にある電子部品が破壊されることを防ぐアクティブマトリクス装置が求められていた。
【発明の開示】
【発明が解決しようとする課題】
【０００６】
本発明の目的は、走査線又はデータ線上の静電気をＥＳＤリング上まで有効に流し、基板上にある電子部品が破壊されることを防ぐアクティブマトリクス装置を提供することにある。
本発明のもう一つの目的は、走査線又はデータ線上の静電気をＥＳＤリング上まで有効に流し、基板上にある電子部品が破壊されることを防ぐ平面表示装置を提供することにある。
【課題を解決するための手段】
【０００７】
（１）基板と、前記基板上に配置された走査線と、前記基板上に配置され、前記走査線と縦横で交錯しているデータ線と、前記走査線及び前記データ線と接続された画素ユニットと、前記基板上に配置されて静電気を減らし、前記走査線及び前記データ線の周囲に配置された少なくとも１つのＥＳＤリングと、正極が前記走査線と接続され、負極が前記ＥＳＤリングと接続された第１のダイオード及び第４のダイオードと、正極が前記ＥＳＤリングと接続され、負極が前記走査線と接続された第２のダイオード及び第３のダイオードと、を備えることを特徴とするアクティブマトリクス装置を提供する。
【０００８】
（２）正極が前記データ線と接続され、負極が前記ＥＳＤリングと接続された第５のダイオード及び第８のダイオードと、正極が前記ＥＳＤリングと接続され、負極が前記データ線と接続された第６のダイオード及び第７のダイオードと、をさらに備えることを特徴とする（１）に記載のアクティブマトリクス装置を提供する。
【０００９】
（３）前記基板はガラス基板であることを特徴とする（１）に記載のアクティブマトリクス装置を提供する。
【００１０】
（４）前記基板はプラスチック基板であることを特徴とする（１）に記載のアクティブマトリクス装置を提供する。
【００１１】
（５）基板と、前記基板上に配置された走査線と、前記基板上に配置され、前記走査線と交錯しているデータ線と、前記基板上に配置され、ゲートが前記走査線と接続され、第１のソース／ドレイン電極が前記データ線と接続された少なくとも１つの薄膜トランジスタと、前記基板上に配置されて静電気を減らし、前記走査線及び前記データ線の周囲に配置された少なくとも１つのＥＳＤリングと、正極が前記走査線と接続され、負極が前記ＥＳＤリングと接続された第１のダイオード及び第４のダイオードと、正極が前記ＥＳＤリングと接続され、負極が前記走査線と接続された第２のダイオード及び第３のダイオードと、を備えることを特徴とする平面表示装置を提供する。
【００１２】
（６）正極が前記データ線と接続され、負極が前記ＥＳＤリングと接続された第５のダイオード及び第８のダイオードと、正極が前記ＥＳＤリングと接続され、負極が前記データ線と接続された第６のダイオード及び第７のダイオードと、をさらに備えることを特徴とする（５）に記載の平面表示装置を提供する。
【００１３】
（７）前記基板はガラス基板であることを特徴とする（５）に記載の平面表示装置を提供する。
【００１４】
（８）前記基板はプラスチック基板であることを特徴とする（５）に記載の平面表示装置を提供する。
【発明の効果】
【００１５】
本発明の静電気保護機能を有するアクティブマトリクス装置及び平面表示装置は、アクティブマトリクス装置又は平面表示装置上のＥＳＤリングと、ＥＳＤリングと接続された複数のダイオードとにより静電気を有効に減らし、アクティブマトリクス装置又は平面表示装置の中の電子部品が破壊されることを防ぐことができる。
【発明を実施するための最良の形態】
【００１６】
図１を参照する。図１は、本発明の一実施形態によるアクティブマトリクス装置（例えば、平面表示装置）を示す回路図である。図１に示すように、アクティブマトリクス装置は、基板１００、走査線１０１、データ線１０５、ＥＳＤリング１０９、複数の画素ユニット１１１、第１のダイオード１１３、第２のダイオード１１５、第３のダイオード１１７、第４のダイオード１１９、第５のダイオード１２１、第６のダイオード１２３、第７のダイオード１２５及び第８のダイオード１２７を有する。走査線１０１、データ線１０５、画素ユニット１１１及びＥＳＤリング１０９は、基板１００上に配置され、画素ユニット１１１は、走査線１０１及びデータ線１０５と接続されている。
【００１７】
走査線１０１及びデータ線１０５の各々は、第１のダイオード１１３、第２のダイオード１１５、第３のダイオード１１７、第４のダイオード１１９、第５のダイオード１２１、第６のダイオード１２３、第７のダイオード１２５及び第８のダイオード１２７を介してＥＳＤリング１０９と接続されている。
【００１８】
第１のダイオード１１３及び第４のダイオード１１９は、正極が走査線１０１と接続され、負極がＥＳＤリング１０９と接続されている。第２のダイオード１１５及び第３のダイオード１１７は、正極がＥＳＤリング１０９と接続され、負極が走査線１０１と接続されている。第５のダイオード１２１及び第８のダイオード１２７は、正極がデータ線１０５と接続され、負極がＥＳＤリング１０９と接続されている。第６のダイオード１２３及び第７のダイオード１２５は、正極がＥＳＤリング１０９と接続され、負極がデータ線１０５と接続されている。
【００１９】
アクティブマトリクス装置は、薄膜トランジスタ液晶表示装置であり、画素ユニット１１１の中には少なくとも１つの薄膜トランジスタ（図示せず）が含まれている。この薄膜トランジスタは、ゲートが走査線と接続され、第１のソース／ドレイン電極がデータ線と接続され、走査周期で用いて、データ線上の電位が画素ユニット１１１に入れられる。
【００２０】
走査線１０１又はデータ線１０５上に静電気が存在する場合は、これらの静電気を第１のダイオード１１３、第２のダイオード１１５、第３のダイオード１１７及び第４のダイオード１１９と、第５のダイオード１２１、第６のダイオード１２３、第７のダイオード１２５及び第８のダイオード１２７とを介してＥＳＤリングに流すことにより静電気を減らす。走査線１０１及びデータ線１０５上のダイオードは、静電気の量に応じてその数を増減させてもよい。これによりダイオードは、静電気エネルギーを有効に減らすとともに、走査線及びデータ線上の静電気をＥＳＤリング１０９上まで有効に流すことができる。また、１つや２つのダイオードが破壊されても、その他のダイオードを介すことにより、静電気をＥＳＤリングまで流し、静電気エネルギーを減らすことができる。
【００２１】
当該分野の技術を熟知するものが理解できるように、本発明の好適な実施の形態を前述の通り開示したが、これらは決して本発明を限定するものではない。本発明の主旨と範囲を脱しない範囲内で各種の変更や修正を加えることができる。従って、本発明の特許請求の範囲は、このような変更や修正を含めて広く解釈されるべきである。
【図面の簡単な説明】
【００２２】
【図１】本発明の一実施形態によるアクティブマトリクス装置を示す回路図である。
【符号の説明】
【００２３】
１００  基板
１０１  走査線
１０５  データ線
１０９  ＥＳＤリング
１１１  画素ユニット
１１３  第１のダイオード
１１５  第２のダイオード
１１７  第３のダイオード
１１９  第４のダイオード
１２１  第５のダイオード
１２３  第６のダイオード
１２５  第７のダイオード
１２７  第８のダイオード
【図１】
2008242405.tif 000003